(57)【要約】      （修正有）【課題】電子機器がロックされる状態においてダイヤルの位置を見えやすくかつ操作しやすくなるように調整できる回転式電子機器ダイヤル錠を提供する。【解決手段】回転式電子機器ダイヤル錠は、錠本体１０に複数のダイヤル１１が設けられ、錠本体の一端には順番に操作ブロック１２とトップバー１３とが延伸される。カバー体２０は二枚合わせで対称に錠本体をカバーし、カバー体には円弧状の球室が形成される。押しボタン３０がカバー体に入れられ、操作ブロックを連動する。二つのロック部材４０は対称する一端にそれぞれ半球状の円弧部４１を有し、円弧部はカバー体の球室内に収容され、トップバーは両円弧部の間に貫通される。ロック部材のもう一端にはそれぞれカバー体より突き出たバックルアーム４４が形成され、円弧部と球室とがスライドして、錠本体と、カバー体と、押しボタンが同時に同じ軸線に沿って回転する。【選択図】図２
0003227280.tif 000002
【実用新案登録請求の範囲】
【請求項１】
錠本体と、カバー体と、押しボタンと、二つのロック部材とを含む回転式電子機器ダイヤル錠であって、
上記錠本体には複数のダイヤルが設けられ、また上記ダイヤルによって上記錠本体が軸方向に位置移動することを制御し、さらに上記錠本体の一端には順番に操作ブロックとトップバーとが延伸され、
上記カバー体は二枚合わせで対称に上記錠本体をカバーし、上記ダイヤル部分は上記カバー体の外に露出し、また上記カバー体には上記操作ブロックを収容できる位置移動空間が設けられ、さらに上記カバー体は円弧状の球室が形成されて、上記トップバーが貫通することを提供し、
上記押しボタン部分は上記カバー体の位置移動空間に入れられ、さらに上記押しボタンによって操作ブロックを連動し、
二つのロック部材は対称する一端にそれぞれ半球状の円弧部が形成され、また上記円弧部は上記カバー体の球室内に収容されることで、上記トップバーは両円弧部の間に貫通され、上記ロック部材のもう一端にはそれぞれ上記カバー体より突き出してバックルアームが形成され、該トップバーが上へ押し上げることによって両バックルアームが外へ展開して広げられ、上記円弧部と上記球室とがスライドできることで、上記錠本体と、カバー体と、押しボタンとはそれぞれ同時に同じ軸線に沿って回転できるため、電子機器がロックされる状態においてダイヤルの位置を見えやすくかつ操作しやすくなるように調整できることを特徴とする回転式電子機器ダイヤル錠。
【請求項２】
上記カバー体の内部には弾性片が固定され、また上記弾性片が上記ダイヤルを当てることで、番号選びの位置決め効果が形成されることを特徴とする請求項１の回転式電子機器ダイヤル錠。
【請求項３】
上記操作ブロックには貫通孔が設けられ、また上記押しボタンは柱体によって上記貫通孔に貫通されることを特徴とする請求項１の回転式電子機器ダイヤル錠。
【請求項４】
上記カバー体の一端には円棒が形成され、また上記円棒には球体が貫通され、さらに上記球体にはロックワイヤーが連接されることを特徴とする請求項１の回転式電子機器ダイヤル錠。
【請求項５】
上記トップバーは尖った円錐棒状式であり、両ロック部材には収容溝が設けられ、上に押し上げられていない該トップバーを収容するためであることを特徴とする請求項１の回転式電子機器ダイヤル錠。
【請求項６】
上記球室の内表面にはリング溝が凹設され、また上記ロック部材はすべての円弧部に少なくとも一つのスライド柱が突設され、また上記スライド柱はスライドされて上記リング溝内に収容されることを特徴とする請求項１の回転式電子機器ダイヤル錠。
【請求項７】
上記トップバーには上記操作ブロック方向に向かって徐々に縮小する円錐面が形成され、また上記ロック部材の収容溝内に阻止部が突設され、上記トップバーの円錐面が上記ロック部材の阻止部を当てる時、上記ロック部材は上記スライド柱を軸心にして揺れることで、両バックルアームの開閉が形成されることを特徴とする請求項６の回転式電子機器ダイヤル錠。
【請求項８】
上記カバー体には、上記球室の開口方向に外リング溝が形成され、また上記カバー体は上記外リング溝に円蓋板が挟まれ、上記円蓋板の設置によって上記バックルアームを貫通する貫通口が提供され、また上記カバー体は該外リング溝に沿って上記円蓋板に対して回転できることを特徴とする請求項１の回転式電子機器ダイヤル錠。
【考案の詳細な説明】
【技術分野】
【０００１】
本考案はダイヤル錠構造に関し、特に回転式電子機器ダイヤル錠に関する。
【背景技術】
【０００２】
電子機器はよく公共の場に置かれて使用され、例えばデスクトップパソコンまたはノートパソコンなどがある。パソコン教室ではデスクトップパソコンが授業のために学生に使用される。または図書館、公的機関あるいは売り場でも電子機器が大衆に使用されるために置かれる。実際の使用経験によってわかったことは、該ノートパソコンの体積が小さいため、移動されやすいまたは盗難されやすく、公共の場においてよく鍵をかけて、有効に管理または盗難防止の目的を達する。電子機器の種類がたくさんあり、また各メーカーの電子機器のロック孔のデザインが異なり、よく見られるのは一字型、十字型または傾斜孔型がある。上述ロック孔のほとんどは開口が溝内より小さいデザインであるため、該錠前のバックルアームが該ロック孔開口に貫通でき、さらに該錠前の操作によってバックルアームが該ロック孔の内部を引っ掛けることで、ロックかつ盗難防止の使用目的を達する。しかし、上述の従来構造を見ると依然に不足する部分があるとわかり、主な原因は以下の通りである。該バックルアームは電子機器のロック孔をロックした後は固定状態であるため、該錠前も固定位置を保ち、異なる機種の電子機器に応用する時、該錠前のダイヤル錠は下方または後方に向ける可能性があるため、使用者が現在の番号と回したい解錠番号を見えにくいことで、操作しにくい欠点が存在する。
【０００３】
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００４】
本考案が解決しようとする課題は、従来のダイヤル錠における技術問題点について解決し、回転式電子機器ダイヤル錠を提供する。
【課題を解決するための手段】
【０００５】
回転式電子機器ダイヤル錠は、錠本体には複数のダイヤルが設けられ、また該ダイヤルによって該錠本体が軸方向に位置移動することを制御し、さらに該錠本体の一端には順番に操作ブロックとトップバーとが延伸される。カバー体は二枚合わせで対称に該錠本体をカバーし、該ダイヤル部分は該カバー体の外に露出し、また該カバー体には該操作ブロックを収容できる位置移動空間が設けられ、さらに該カバー体は円弧状の球室が形成されて、該トップバーが貫通することを提供する。押しボタン部分は該カバー体の位置移動空間に入れられ、さらに該押しボタンによって操作ブロックを連動する。二つのロック部材は対称する一端にそれぞれ半球状の円弧部が形成され、また該円弧部は該カバー体の球室内に収容されることで、該トップバーは両円弧部の間に貫通される。該ロック部材のもう一端にはそれぞれ該カバー体より突き出してバックルアームが形成され、該トップバーが上へ押し上げることによって両バックルアームが外へ展開して広げられる。
【０００６】
該カバー体の内部には弾性片が固定され、また該弾性片が該ダイヤルを当てることで、番号選びの位置決め効果が形成される。
【０００７】
該操作ブロックには貫通孔が設けられ、また該押しボタンは柱体によって該貫通孔に貫通される。
【０００８】
該カバー体の一端には円棒が形成され、また該円棒には球体が貫通され、さらに該球体にはロックワイヤーが連接される。
【０００９】
該トップバーは尖った円錐棒状式であり、両ロック部材には収容溝が設けられ、上に押し上げられていない該トップバーを収容するためである。
【００１０】
該球室の内表面にはリング溝が凹設され、また該ロック部材はすべての円弧部に少なくとも一つのスライド柱が突設され、また該スライド柱はスライドされて該リング溝内に収容される。
【００１１】
該トップバーには、該操作ブロック方向に向かって徐々に縮小する円錐面が形成され、また該ロック部材の収容溝内に阻止部が突設される。該トップバーの円錐面が該ロック部材の阻止部を当てる時、該ロック部材は該スライド柱を軸心にして揺れることで、両バックルアームの開閉が形成される。
【００１２】
該カバー体は該球室の開口方向に外リング溝が形成され、また該カバー体は該外リング溝に円蓋板が挟まれる。該円蓋板の設置によって該バックルアームを貫通する貫通口が提供され、また該カバー体は該外リング溝に沿って該円蓋板に対して回転できる。
【００１３】
本考案の主な目的は、両ロック部材のバックルアームは外へ拡張して電子機器をロックする時、該ロック部材と電子機器は固定状態を保つが、該ロック部材は該円弧部によって該カバー体の球室にスライドして設けられ、また該トップバーは両ロック部材の間に貫通しても阻止にならず、該円弧部と該球室とがスライドできることで、該錠本体と、カバー体と、押しボタンとはそれぞれ同時に同じ軸線に沿って回転できるため、電子機器がロックされる状態においてダイヤルの位置を見えやすくかつ操作しやすくなるように調整でき、使用の利便性を向上する。
【図面の簡単な説明】
【００１４】
【図１】図１は、本考案に係る回転式電子機器ダイヤル錠を示す立体図である。
【図２】図２は、本考案に係る回転式電子機器ダイヤル錠を示す立体分解図である。
【図３】図３は、本考案の使用状態を示す図（一）である。
【図４】図４は、本考案の使用状態を示す図（二）である。
【図５】図５は、本考案の図４のＡ−Ａ断面の断面図である。
【図６】図６は、本考案が回転動作を行う立体表示図（一）である。
【図７】図７は、本考案が回転動作を行う断面表示図である。
【図８】図８は、本考案が回転動作を行う立体表示図（二）である。
【図９】図９は、本公園のもう一つの実施例の立体図である。
【考案を実施するための形態】
【００１５】
まず、図１と図２を参照されたい。本考案の回転式電子機器ダイヤル錠は、錠本体１０と、カバー体２０と、押しボタン３０と、二つのロック部材４０とを含む。錠本体１０には複数のダイヤル１１が設けられ、また該ダイヤル１１によって該錠本体１０が軸方向に位置移動することを制御し、さらに該錠本体１０の一端には順番に操作ブロック１２とトップバー１３とが延伸される。カバー体２０は二枚合わせで対称に該錠本体１０をカバーし、該ダイヤル１１部分は該カバー体２０の外に露出し、また該カバー体２０には該操作ブロック１２を収容できる位置移動空間２１が設けられ、さらに該カバー体２０は円弧状の球室２２が形成されて、該トップバー１３が貫通することを提供する。該カバー体２０の内部には弾性片２３が固定され、また該弾性片２３が該ダイヤル１１を当てることで、番号選びの位置決め効果が形成される。該カバー体２０の一端には円棒２４が形成され、また該円棒２４には球体２５１が貫通され、さらに該球体２５１にはロックワイヤー２５が連接される。押しボタン３０部分は該カバー体２０の位置移動空間２１に入れられ、さらに該押しボタン３０によって操作ブロック１２を連動する。その中、該操作ブロック１２には貫通孔１２１が設けられ、また該押しボタン３０は柱体３１によって該貫通孔１２１に貫通され、該柱体３１が該操作ブロック１２を連動することで、該錠本体１０の軸方向推移に形成される。二つのロック部材４０は対称する一端にそれぞれ半球状の円弧部４１が形成され、また該円弧部４１は該カバー体２０の球室２２内に収容されることで、該トップバー１３は両円弧部４１の間に貫通される。該トップバー１３は尖った円錐棒状式であり、両ロック部材４０には収容溝４２が設けられ、上に押し上げられていない該トップバー１３を収容するためである。この状態において、両ロック部材４０が互いに近付き、また該球室２２の内表面にはリング溝２２１が凹設され、また該リング溝２２１は該トップバー１３の軸心を中心に環設され、該ロック部材４０はすべての円弧部４１に少なくとも一つのスライド柱４３が突設され、また該スライド柱４３はスライドされて該リング溝２２１内に収容されることで、該ロック部材４０と該カバー体２０の相対する位置を制限する。該ロック部材４０のもう一端にはそれぞれ該カバー体２０より突き出してバックルアーム４４が形成され、該バックルアーム４４は形を問わない（図８、図９の違いのように）。該カバー体２０は該球室２２の開口方向に外リング溝２２２が形成され、また該カバー体２０は該外リング溝２２２に円蓋板２６が挟まれる。該円蓋板２６の設置によって該バックルアーム４４を貫通する貫通口２６１が提供され、また該カバー体２０は該外リング溝２２２に沿って該円蓋板２６に対して回転できる。該トップバー１３が上へ押し上げることによって両バックルアーム４４が外へ展開して広げられる。
【００１６】
実際の使用状況は、引き続き図１から図４を参照されたい。該錠本体１０はダイヤル１１の回転によって解錠状態になり、操作ブロック１２は該押しボタン３０の押し合いによって該ロック部材４０の方向へ位置移動できる。該錠本体１０、操作ブロック１２とトップバー１３は一体成型のため、該トップバー１３は該ロック部材４０の収容溝４２より押し上げて突き出すことで、両バックルアーム４４が広げられ、該バックルアーム４４の外拡張展開によって電子機器のロック孔をロックでき、最後は該ダイヤル１１をランダムに回すと電子機器の盗難防止の使用目的を達せる。反対に、解錠をしたい時、正確のパスワードを選択した後、該押しボタン３０を押すと該トップバー１３を引き上げることができる。該トップバー１３には、該操作ブロック１２方向に向かって徐々に縮小する円錐面１３１が形成され、また該ロック部材４０の収容溝４２内に阻止部４２１が突設される。該トップバー１３の円錐面１３１が該ロック部材４０の阻止部４２１を当てる時、該ロック部材４０は該スライド柱４３を軸心にして揺れることで、両バックルアーム４４の開閉が形成されることで、電子機器の盗難防止の使用効果を奏する。実際の使用効果はさらに図５から図８を参照されたい。トップバー１３が両ロック部材４０を押し開くと、両ロック部材４０のバックルアーム４４が外拡張して電子機器をロックする時、該ロック部材４０は電子機器と固定状態を保つが、該ロック部材４０は該円弧部４１によって該カバー体２０の球室２２にスライドして設けられ、また該トップバー１３は両ロック部材４０の間に貫通しても阻止にならず、該円弧部４１と該球室２２がスライドできることで、該錠本体１０、カバー体２０と押しボタン３０はそれぞれ同時に同じ軸線に沿って回転できるため、電子機器がロックされる状態においてダイヤル１１の位置を見えやすくかつ操作しやすくなるように調整でき、使用の利便性を向上する。
【００１７】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１８】
１０              錠本体
１１              ダイヤル
１２              操作ブロック
１２１            貫通孔
１３              トップバー
２０              カバー体
２１              位置移動空間
２２              球室
２２１            リング溝
２２２            外リング溝
２３              弾性片
２４              円棒
２５              ロックワイヤー
２５１            球体
２６              円蓋板
２６１            貫通口
３０              押しボタン
３１              柱体
４０              ロック部材
４１              円弧部
４２              収容溝
４３              スライド柱
４４              バックルアーム
【図１】
0003227280.tif 000003
【図２】
0003227280.tif 000004
【図３】
0003227280.tif 000005
【図４】
0003227280.tif 000006
【図５】
0003227280.tif 000007
【図６】
0003227280.tif 000008
【図７】
0003227280.tif 000009
【図８】
0003227280.tif 000010
【図９】
0003227280.tif 000011